(57)【特許請求の範囲】
【請求項１】
板金加工により四角箱形に形成された本体と、本体の開口部を覆う扉とを備え、
前記本体の左側面板および右側面板の前端部を開口部の内側に折り曲げて、扉を裏面側から支える支え部を形成し、本体の上面板および下面板の前端部を開口部の内側に折り曲げて、扉を表面側から押える押え部を形成し、
前記上面板の内面に、上方へスライドした扉の上端が係合する傾斜リブを設け、
前記支え部と押え部との間隙に扉を取り外し可能に差し込んだことを特徴とする電気機器収納箱。
【請求項２】
前記上面板の押え部を下面板の押え部よりも大きな寸法で開口部の内側に張り出すように折り曲げた請求項１記載の電気機器収納箱。
【請求項３】
前記扉を透明樹脂からなる平板で形成した請求項１又は２記載の電気機器収納箱。
【請求項４】
前記支え部と押え部との間隙に、扉を上下にスライド可能に差し込み、扉の一部に指掛け部を形成した請求項１〜３の何れか一項に記載の電気機器収納箱。
【発明の詳細な説明】
【技術分野】
【０００１】
本発明は、板金加工により形成された本体と、本体の開口部を覆う扉とを備えた電気機器収納箱に関する。
【背景技術】
【０００２】
従来、扉を本体にネジで着脱可能に取り付けた電気機器収納箱が知られている。例えば、図６に示す従来の電気機器収納箱５１は、四角箱形に形成された板金製の本体５２と、本体５２の開口部５３を覆う板金製の扉５４とを備え、扉５４が四隅にてネジ５５によって本体５２のネジ穴５６に締め付けられている。なお、特許文献１には、図６とほぼ同じ構造の電気機器収納箱において、ネジが分離しないように、扉にネジ保持部材を設ける技術が示されている。
【先行技術文献】
【特許文献】
【０００３】
【特許文献１】特開２００４−１０３９３８号公報
【発明の概要】
【発明が解決しようとする課題】
【０００４】
ところが、従来の電気機器収納箱５１によると、次のような問題点があった。
（ａ）本体５２の前面に内側張出部５７を介して額縁枠５８を突設し、額縁枠５８の内側に開口部５３を形成しているので、本体５２の板金加工にあたって工数が増える。
（ｂ）４本のネジ５５を緩めたり締めたり、扉５４の開閉に手間がかかる。
（ｃ）扉５４が板金製であるため、質量が嵩むうえ、扉５４を閉じた状態では、内部機器の目視による点検ができない。
【０００５】
そこで、本発明の目的は、本体を少ない工数で板金加工でき、扉をワンタッチで開閉でき、内部機器を透視できる電気機器収納箱を提供することにある。
【課題を解決するための手段】
【０００６】
上記課題を解決するために、本発明は次のような電気機器収納箱を提供する。
（１）板金加工により四角箱形に形成された本体と、本体の開口部を覆う扉とを備え、本体の左側面板および右側面板の前端部を開口部の内側に折り曲げて、扉を裏面側から支える支え部を形成し、本体の上面板および下面板の前端部を開口部の内側に折り曲げて、扉を表面側から押える押え部を形成し、上面板の内面に、上方へスライドした扉の上端が係合する傾斜リブを設け、支え部と押え部との間隙に扉を取り外し可能に差し込んだことを特徴とする電気機器収納箱。
【０００７】
（２）上面板の押え部を下面板の押え部よりも大きな寸法で開口部の内側に張り出すように折り曲げたことを特徴とする上記（１）記載の電気機器収納箱。
【０００８】
（３）扉を透明樹脂からなる平板で形成したことを特徴とする上記（１）または（２）記載の電気機器収納箱。
【０００９】
（４）支え部と押え部との間隙に、扉を上下にスライド可能に差し込み、扉の一部に指掛け部を形成したことを特徴とする上記（１）、（２）または（３）記載の電気機器収納箱。
【発明の効果】
【００１１】
本発明の電気機器収納箱によれば、支え部と押え部を折り曲げるだけの少ない工数で、本体を簡単かつ安価に板金加工できる。扉は、支え部と押え部の間隙に差し込むことで、ネジを使用することなく、本体にワンタッチで取り付け、取り外すことができる。また、扉を透明な平板で形成することで、収納箱の質量を軽減し、内部機器を目視により点検でき、サイズ変更にも容易に対応できるという効果がある。
【図面の簡単な説明】
【００１２】
【図１】本発明の一実施形態を示す電気機器収納箱の斜視図である。
【図２】図１の収納箱の閉扉形態を示す斜視図である。
【図３】図１の収納箱の扉開閉手順を示す断面図である。
【図４】本発明の別の実施形態を示す電気機器収納箱の斜視図である。
【図５】図４の収納箱の断面図である。
【図６】従来の電気機器収納箱を示す斜視図である。
【発明を実施するための形態】
【００１３】
以下、本発明の実施形態を図面に基づいて説明する。図１、図２に示すように、この実施形態の電気機器収納箱１は、板金加工により四角箱形に形成された本体２と、本体２の開口部３を覆う扉４とを備え、配電設備におけるターミナルボックスとして使用される。本体２は上面板５、下面板６、左側面板７、右側面板８および背面板９から構成されている。扉４は、アクリル等の透明樹脂製の平板によって長方形に形成され、中央下部に指掛け穴１０を備えている。
【００１４】
本体１２の左側面板７および右側面板８は、前端部が開口部３の内側に折り曲げられ、扉４をその裏面側から支える支え部１１，１２を形成している。本体２の上面板５および下面板６は、前端部が開口部３の内側に折り曲げられ、扉４をその表面側から押える押え部１３，１４を形成している。押え部１３，１４は支え部１１，１２よりも本体２の外側に位置し、支え部１１，１２と押え部１３，１４との間において、開口部３の上側に上部間隙１５が設けられ、開口部３の下側に下部間隙１６が設けられている。
【００１５】
図３に示すように、上部間隙１５には扉４の上端部が差し込まれ、下部間隙１６に扉４の下端部が差し込まれる。上側の押え部１３は下側の押え部１４よりも大きな寸法（Ｈ１＞Ｈ２）で開口部３の内側に張り出すように折り曲げられている。そして、扉４は、開口部３を塞いだ状態で支え部１１，１２および押え部１３，１４により上下にスライド可能に支持され、上方のスライド端で扉４の下端を押え部１４の前後に出し入れでき、下方のスライド端で扉４の上端を押え部１３で拘束できるようになっている。
【００１６】
従って、この実施形態の電気機器収納箱１によれば、次のような作用効果が得られる。
（イ）扉４を支え部１１，１２と押え部１３，１４で支持しているので、これら４箇所を折り曲げるだけの少ない工数で、本体２を簡単かつ安価に板金成形できる。
（ロ）扉４の上下両端を間隙１５，１６に差し込んでいるので、ネジを使用することなく、指掛け穴１０に指を入れて上下するだけのワンタッチ操作で、扉４を本体２に簡単に取り付け、取り外すことができる。
（ハ）扉４を透明樹脂板で形成したので、収納箱１の全体を軽量化でき、本体２に収納された電気機器の動作状態や計器類の表示を外部から目視により容易に確認できる。
（ニ）樹脂板は平板であるため、市販の定尺品を切断し、扉４をサイズに合わせて製作でき、従来の板金扉のようにサイズごとに幾種類もの金型を用意する必要がない。
【００１７】
本発明は上記実施形態に限定されるものではなく、発明の趣旨を逸脱しない範囲で、電気機器収納箱の各部の形状または構成を適宜に変更して実施することも可能である。例えば、図４、図５に示す電気機器収納箱２１では、本体２の上面板５と押え部１３とのコーナ部内面に左右一対の傾斜リブ２２が切起し形成されている。そして、扉４を上方へスライドしたときに、扉４の上端が傾斜リブ２２に係合し、扉４の下端が自動的に前方に迫り出し、扉４を本体２から簡単に取り外すことができるようになっている。
【符号の説明】
【００１８】
１，２１    電気機器収納箱
２    本体
３    開口部
４    扉
５    上面板
６    下面板
７    左側面板
８    右側面板
１０    指掛け穴
１１，１２    支え部
１３，１４    押え部
１５，１６    間隙
２２    傾斜リブ
【図１】
0005686657.tif 000002
【図２】
0005686657.tif 000003
【図３】
0005686657.tif 000004
【図４】
0005686657.tif 000005
【図５】
0005686657.tif 000006
【図６】
0005686657.tif 000007